(57)【要約】      （修正有）【課題】携帯型情報端末を収納した状態で、イヤホンマイク等のプラグ及びケーブルの抜き挿しを容易にすることができ、且つ、視認、操作及び持ち運びが好適な携帯型情報端末用のポーチを提供する。【解決手段】収納部１０が、取り出し口２０と、裏側部１３を形成してなる透明合成樹脂シート３０と、表側部を形成してなる衝撃緩和部とから形成される略楕円形の扁平形状の容器であって、携帯型情報端末を収納部に収納して、切欠き部３３と対面する表側部の内側裏面１７からなるガイド面３７にプラグＰを軽く押し当てることでケーブル挿し込み穴３９を開いて、ガイド面３７を挿し込み用のガイドとして利用して、プラグをガイドに沿わせて収納部の内部へ移動させることにより、携帯型情報端末のジャックにプラグを簡単に挿し込むことができる。【選択図】図１
0003204327.tif 000002
【実用新案登録請求の範囲】
【請求項１】
タッチパネル操作画面、及び情報入出力用のジャックを備えた携帯型情報端末を収納できる収納部と、
前記収納部の上端縁に沿って開口が形成されてなる取り出し口と、
前記収納部の裏側部を形成してなる透明合成樹脂シートと、
前記透明合成樹脂シートの一側縁に設けられた切欠き部、及び前記切欠き部と対面する前記収納部の表側部の内側裏面が、前記切欠き部の縁中央部よりも一側方向に張り出すことによって形成されてなるガイド面から構成されるケーブル挿し込み穴と、を有してなる、
ことを特徴とするポーチ。
【請求項２】
前記ケーブル挿し込み穴が、前記透明合成樹脂シートの左右端部の両側縁に有してなる、
ことを特徴とする請求項１に記載のポーチ。
【請求項３】
前記収納部の表側部が、厚手の生地からなる衝撃緩和部で覆われてなる、
ことを特徴とする請求項１または請求項２に記載のポーチ。
【請求項４】
前記収納部の表側部、及び裏側部が前記透明合成樹脂シートから形成されてなり、
前記収納部の上端縁において表側方向に連接されてなる小物入れ部と、を有し、
前記小物入れ部に対し、前記収納部が該連接部を軸として擺動可能に設けられてなる、
ことを特徴とする請求項１乃至請求項３のいずれかに記載のポーチ。
【考案の詳細な説明】
【技術分野】
【０００１】
本考案は、タッチパネルディスプレイを備えた携帯電話機等の携帯型情報端末を収納した状態で、視認、操作及び持ち運びに好適なポーチに関する。
【背景技術】
【０００２】
近年、高度化された携帯型情報端末は、使用者によって常に持ち運ばれて使用されるために、例えば、携帯型情報端末を専用ケースに入れて、これをハンドバッグ等のバッグに入れて持ち運ぶと共に、携帯型情報端末を使用する度に、バッグから取り出して携帯型情報端末が使用されている。そういった煩雑さを解消するために、バッグを持たずに持ち運びが便利なように、携帯型情報端末収容部を備えた財布が提案されている。
【０００３】
具体的には、財布ケース体と、この財布ケース体に内設された財布本体と、この財布本体の内部に形成されると共に、携帯型情報端末を収容できる携帯型情報端末収容部を設けた財布が提案され、携帯型情報端末保持体に携帯型情報端末操作用開口部が貫通形成され、携帯型情報端末を携帯型情報端末収容部に収容した状態で携帯型情報端末操作用開口部を介して携帯型情報端末の液晶部にタッチして携帯型情報端末を操作、或いは携帯型情報端末の液晶部を見ることができるようにした財布等の収納具が考案されている（特許文献１参照）。
【先行技術文献】
【特許文献】
【０００４】
【特許文献１】実用新案登録第３１７７９０１号公報
【考案の概要】
【考案が解決しようとする課題】
【０００５】
しかし、従来技術は、財布本体と携帯型情報端末収容部とを一体化したものであり、携帯型情報端末を収容したままでタッチパネルディスプレイの操作はできるものの、イヤホンマイク等のプラグ及びケーブルの抜き挿しをするためには、携帯型情報端末の出し入れ口を開ける必要があり、携帯型情報端末の使用には不便があった。
【課題を解決するための手段】
【０００６】
本考案は、前記課題を解決するための手段として携帯型情報端末用のポーチを提供するもので、タッチパネル操作画面、及び情報入出力用のジャックを備えた携帯型情報端末を収納できる収納部と、前記収納部の上端縁に沿って開口が形成されてなる取り出し口と、前記収納部の裏側部を形成してなる透明合成樹脂シートと、前記透明合成樹脂シートの一側縁に設けられた切欠き部、及び前記切欠き部と対面する前記収納部の表側部の内側裏面が、前記切欠き部の縁中央部よりも一側方向に張り出すことによって形成されてなるガイド面から構成されるケーブル挿し込み穴と、を有してなることを特徴とする。
【０００７】
前記取り出し口は、前記収納部の上端縁に沿って開口が形成されることにより、左右に亘って大きな開口幅を設けることができるために携帯型情報端末の出し入れがし易くなり、携帯型情報端末の収納性を向上させることができる。
【０００８】
また、携帯型情報端末の前記タッチパネル操作画面に表示された情報は、前記収納部の裏側部の全面を前記透明合成樹脂シートで形成したことにより、前記透明合成樹脂シートを通して、携帯型情報端末を取り出さなくても外部より前記タッチパネル操作画面を視認、及び操作が簡単にできると共に、携帯型情報端末の操作性が向上する。
【０００９】
また、前記透明合成樹脂シートの一側縁に設けられた前記切欠き部、及び前記切欠き部と対面する前記収納部の表側部の内側裏面が、前記切欠き部の縁中央部よりも一側方向に張り出すことによって形成されてなるガイド面から構成されるケーブル挿し込み穴を形成したことにより、前記ガイド面をイヤホンマイク等のプラグ及びケーブルの抜き挿しをするためのガイド機能として利用できる。
【００１０】
つまり、前記収納部に収納した携帯型情報端末のジャックにイヤホンマイク等のプラグを挿し込む際、前記収納部の下半部の上側の一側縁に設けられた切欠き部と対面する前記表側部の内側裏面からなるガイド面にプラグを軽く押し当てることでケーブル挿し込み穴を開いて、前記ガイド面にプラグを軽く押し当てたまま、前記ガイド面を挿し込み用のガイドとして利用して、プラグを挿し込み用のガイドに沿わせて収納部の内部へ移動させることにより、携帯型情報端末のジャックにプラグを簡単に挿し込むことができる。さらに、前記ケーブル挿し込み穴からイヤホンマイク等のケーブルを容易に引き出すことができるので、取り出し口を閉じたまま音楽を聴いたり、携帯型情報端末の充電を行ったりすることができる。
【００１１】
また本考案は、前記ケーブル挿し込み穴が、前記透明合成樹脂シートの左右端部の両側縁に有してなることとしても良い。前記一側縁に対して他側縁側に、前記透明合成樹脂シートの他側縁に設けられた前記切欠き部、及び前記切欠き部と対面する前記収納部の表側部の内側裏面が、前記切欠き部の縁中央部よりも他側方向に張り出すことによって形成されてなるガイド面から構成されるケーブル挿し込み穴を形成したことにより、前記ガイド面をイヤホンマイク等のプラグ及びケーブルの抜き挿しをするためのガイド機能として利用できる。
【００１２】
前記ケーブル挿し込み穴が、前記透明合成樹脂シートの左右端部の両側縁に形成されることにより、左右どちらの前記ケーブル挿し込み穴でも使用することができるので、携帯型情報端末の収納方向に係わらず、どの方向であってもイヤホンマイク等のプラグを抜き挿しすることができる。さらに、ポーチを肩掛けして音楽を聴く場合、肩掛けが両肩のいずれであっても、前記ケーブル挿し込み穴から引き出されたイヤホンマイク等のケーブルを自在に取り回しができる。
【００１３】
また本考案は、前記収納部の表側部が、厚手の生地からなる衝撃緩和部で覆われてなることとしても良い。前記収納部の表側部が、厚手の生地からなる衝撃緩和部で覆われて形成されることにより、携帯型情報端末への外部からの衝撃や摩擦等に対する損傷を緩和することができる。
【００１４】
また、前記収納部の表側部の厚手の生地に装飾効果を出すために、前記衝撃緩和部のデザインとして、例えば、子犬を模したものであっても良く、その他のバリエーションとして、犬以外で、ネコや、ウサギや、或いは動物以外のキャラクター商品であっても良く、それらのデザインにより、前記収納部の表側部の厚手の生地に高級感を醸し出すことができる。
【００１５】
また本考案は、前記収納部の表側部、及び裏側部が前記透明合成樹脂シートから形成されてなり、前記収納部の上端縁において表側方向に連接されてなる小物入れ部と、を有してなり、前記小物入れ部に対し、前記収納部が該連接部を軸として擺動可能に設けられてなることとしても良い。前記小物入れ部と前記収納部の二つの収納体の上端縁を連接したことにより、該二つの収納体からなる携帯型情報端末用のポーチに、より多くの収納物を収納することができる。
【００１６】
また、前記連接部を軸として擺動可能に設けられ、前記小物入れ部に対して前記収納部が擺動できるので、前記収納部に携帯型情報端末を収納した状態で、前記収納部を適当な角度に擺動させることにより、携帯型情報端末のタッチパネルの視認、及び操作が容易にできる。さらに、収納部の表側部を形成する透明合成樹脂シートを通して、携帯型情報端末を収納部に収納したまま、カメラによる撮影機能が使用できることになる。
【００１７】
また、上記と同様に、前記収納部には、前記ケーブル挿し込み穴が、前記透明合成樹脂シートの左右端部の両側縁に形成されてなるので、前記ガイド面をガイド機能として利用して、前記収納部に収納した携帯型情報端末のジャックにイヤホンマイク等のプラグを簡単に挿し込むことができると共に、前記ケーブル挿し込み穴からイヤホンマイク等のケーブルを、取り出し口を閉じたまま容易に引き出すことができる。
【００１８】
また、前記二つの収納体は、前記収納部よりも前記小物入れ部の方が大きく構成されてなることとしても好ましい。また、前記二つの収納体は、それぞれの下部中央部で互いにホックにより自在に開閉できる開閉式にされていることとしても好ましい。
【００１９】
前記収納部よりも前記小物入れ部の方を大きくすることにより、前記収納部には携帯型情報端末とその関連グッズを収納することに特化させ、且つ、一方の前記小物入れ部にはそれ以外の日常生活品である化粧品、財布、手帳、筆記用具、ハンカチ、ティッシュペーパー等の嵩張るものを収納することに特化させることにより、収納性を向上することができる。
【００２０】
また、前記二つの収納体は、それぞれの下部中央部で互いに前記ホックによって自在に開閉できる開閉式にされてなることにより、前記ホックを閉めることで前記収納部が擺動できない状態となるので、前記小物入れ部に対する前記収納部の擺動が固定され、携帯型情報端末用のポーチの持ち運びに際して、携行中のポーチを安定させることができる。一方、前記ホックはいつでも開くことできるので、前記小物入れ部に対する前記収納部の擺動が解除され、携帯型情報端末のカメラによる撮影機能が容易に使用できることになる。
【００２１】
また、前記収納部の左右端部の略中央部には、それぞれフックを設けることとしても好ましい。前記フックに、肩掛け用のストラップの留め金具のカニカンを連結することで、ポーチを肩掛けして携行することができる。
【考案の効果】
【００２２】
本考案によれば、前記収納部に収納した携帯型情報端末のジャックにイヤホンマイク等のプラグを接続する際に、前記ガイド面がプラグ挿し込み用のガイド機能として利用できるので、プラグを簡単に接続することができる。さらに、前記ケーブル挿し込み穴からイヤホンマイク等のケーブルを、取り出し口を閉じたまま引き出すことができる。
【００２３】
また、前記収納部の上端縁に沿って開口が形成されることにより、左右に亘って大きな開口部を設けることができるために携帯型情報端末の出し入れがし易くなる。さらに、携帯型情報端末を収納した状態で前記タッチパネル操作画面を視認操作できるために、以って防犯上においても安全である。
【００２４】
また、前記ケーブル挿し込み穴が、前記透明合成樹脂シートの左右端部の両側縁に形成されることにより、左右どちらの前記ケーブル挿し込み穴からでもイヤホンマイク等のケーブルを容易に引き出して使用することができる。
【００２５】
また、前記収納部の表側部が、厚手の生地からなる衝撃緩和部で覆われて形成されることにより、携帯型情報端末への外部からの衝撃や摩擦等に対する損傷を緩和することができる。
【００２６】
また、前記小物入れ部と前記収納部の二つの収納体の上部を連接したことにより、該二つの収納体からなる携帯型情報端末用のポーチに、より多くの収納物を収納できる。
【００２７】
また、前記連接部を軸として、前記小物入れ部に対して前記収納部が擺動可能に設けられ、前記収納部の表側部、及び裏側部が前記透明合成樹脂シートから形成されてなるので、前記収納部を擺動させて、携帯型情報端末を収容した前記収納部が開いた状態で、携帯型情報端末のカメラの撮影が可能となる。
【図面の簡単な説明】
【００２８】
【図１】本考案の携帯型情報端末用のポーチの第一の実施の形態を示し、収納部に携帯型情報端末を収納し、且つ、イヤホンマイクを接続した状態で、携帯型情報端末用のポーチの裏側部からみた斜視図である。
【図２】図１の携帯型情報端末用のポーチの第一の実施の形態を示し、携帯型情報端末用のポーチの表側部からみた斜視図である。
【図３】図１の携帯型情報端末用のポーチの第一の実施の形態を示し、収納部に携帯型情報端末を収納し、且つ、イヤホンマイクを接続した状態で、携帯型情報端末用のポーチの透明合成樹脂シートを通して、携帯型情報端末のタッチパネルディスプレイを操作している使用状態を示す参考図で、携帯型情報端末用のポーチの裏側部からみた背面図である。
【図４】図１の携帯型情報端末用のポーチの第一の実施の形態を示し、携帯型情報端末用のポーチの左側面図である。
【図５】本考案の携帯型情報端末用のポーチの他の実施の形態を示し、収納部に携帯型情報端末を収納し、且つ、イヤホンマイクを接続した状態で、携帯型情報端末用のポーチの裏側部からみた斜視図である。
【図６】図５の携帯型情報端末用のポーチの他の実施の形態を示し、携帯型情報端末用のポーチの表側部からみた正面図である。
【図７】図５の携帯型情報端末用のポーチの他の実施の形態を示し、収納部に携帯型情報端末を収納し、且つ、イヤホンマイクを接続した状態で、携帯型情報端末用のポーチの透明合成樹脂シートを通して、携帯型情報端末のタッチパネルディスプレイを操作している使用状態を示す参考図で、携帯型情報端末用のポーチの裏側部からみた背面図である。
【図８】図５の携帯型情報端末用のポーチの他の実施の形態を示し、携帯型情報端末用のポーチの左側面図である。
【考案を実施するための形態】
【００２９】
以下、本考案に係る第一の実施の形態と他の実施の形態を、図を参照しながら詳しく説明する。尚、第一の実施の形態と他の実施の形態で同一の構成の場合は、他の実施の形態では同一の符号を用いてその説明を省略する場合がある。
【００３０】
初めに、本考案の第一の実施の形態の携帯型情報端末用のポーチ１は、図１乃至図４に示すように、タッチパネルディスプレイを備えた携帯電話機等の携帯型情報端末ＳＨを収納することができる収納部１０と、収納部１０の上端縁１１に沿って開口部２１が形成されてなる取り出し口２０と、収納部１０の裏側部１３を形成してなる透明合成樹脂シート３０と、透明合成樹脂シート３０の一側縁３１ａに設けられた切欠き部３３、及び切欠き部３３と対面する収納部１０の表側部１５の内側裏面１７が、切欠き部３３の縁中央部３５よりも一側方向に張り出すことによって形成されてなるガイド面３７から構成されるケーブル挿し込み穴３９と、収納部１０の表側部１５の表面が厚手の生地からなる衝撃緩和部４０とから構成されてなる。
【００３１】
また、収納部１０は、上端縁１１に沿って開口部２１が形成され、開口部２１がファスナー２３、及びスライダー２５から構成されてなる開閉式の取り出し口２０と、裏側部１３を形成してなる透明合成樹脂シート３０と、表側部１５を形成してなる衝撃緩和部４０とから形成される容器であって、全体が略楕円形の扁平形状をしてなる。
【００３２】
また、取り出し口２０は、収納部１０の左右端部２７，２７から上端縁１１に沿って開口が形成されてなることにより、左右に亘って大きな開口部２１を設けることができるために、携帯型情報端末ＳＨの出し入れがし易くなる。
【００３３】
また、透明合成樹脂シート３０は、収納部１０の裏側部１３の全面を覆うように張られたシートであって、ポリ塩化ビニル等のプラスチック材料の透明な薄板からなり、透明合成樹脂シート３０の一側縁３１ａに設けられたケーブル挿し込み穴３９として、収納部１０の下半部の一側縁３１ａに円弧状の切欠き部３３が設けられることにより、イヤホンマイクＥＭのケーブルＣが通し易い構造となり、且つ、イヤホンマイクＥＭのプラグＰと接続する携帯型情報端末ＳＨのジャック（図示せず）の位置と、ケーブル挿し込み穴３９の位置が合うように関連付けてなる。
【００３４】
このように構成してなる携帯型情報端末用のポーチ１は、携帯型情報端末ＳＨを収納部１０に収納して、切欠き部３３と対面する表側部１５の内側裏面１７からなるガイド面３７にプラグＰを軽く押し当てることでケーブル挿し込み穴３９を開いて、ガイド面３７にプラグＰを軽く押し当てたまま、ガイド面３７を挿し込み用のガイドとして利用して、プラグＰを挿し込み用のガイドに沿わせて収納部１０の内部へ移動させることにより、携帯型情報端末ＳＨのジャックにプラグＰを簡単に挿し込むことができる。
【００３５】
また、ケーブル挿し込み穴３９が、透明合成樹脂シート３０の左右端部２７の他側縁３１ｂにも形成されることにより、左右どちらのケーブル挿し込み穴３９，３９からでもイヤホンマイクＥＭ等のプラグＰを容易に接続すると共に、ケーブルＣを引き出して使用することができる。
【００３６】
また、衝撃緩和部４０は、収納部１０の表側部１５が厚手の生地から構成してなるが、この厚手の生地に装飾効果を出すために、衝撃緩和部４０のデザインとして、例えば、子犬の頭部を模した厚手の生地を収納部１０の表側部１５に縫製することにより高級感を醸し出すことができるので、衝撃性及び安全性の向上と共に、携帯型情報端末用のポーチ１の見栄えが良くなる。
【００３７】
また、収納部１０の左右端部２７，２７の略中央部にそれぞれフックＦ，Ｆを設け、フックＦに、肩掛け用のストラップＳの留め金具のカニカンＫを連結することで、ポーチ１を肩掛けして携行することができる。
【００３８】
次に、本考案の他の実施の形態の携帯型情報端末用のポーチ１は、図５乃至図８に示すように、タッチパネルディスプレイを備えた携帯電話機等の携帯型情報端末ＳＨを収納することができる収納部１０と、収納部１０の上端縁１１に沿って開口部２１が形成されてなる取り出し口２０と、収納部１０の表側部１５、及び裏側部１３を形成してなる透明合成樹脂シート３０と、透明合成樹脂シート３０の一側縁３１ａに設けられた切欠き部３３、及び切欠き部３３と対面する収納部１０の表側部１５の内側裏面１７が、切欠き部３３の縁中央部３５よりも一側方向に張り出すことによって形成されてなるガイド面３７から構成されるケーブル挿し込み穴３９と、収納部１０の上端縁１１において表側方向に連接されてなる小物入れ部５０とから構成され、小物入れ部５０に対し、収納部１０が連接部５１を軸として擺動可能に設けられてなる。
【００３９】
また、収納部１０は、取り出し口２０と、収納部１０の表側部１５、及び裏側部１３を形成してなる透明合成樹脂シート３０とから形成される容器であって、本形態の例では、全体が略矩形の扁平形状をしてなる。
【００４０】
また、小物入れ部５０は、開口部６１がファスナー６３、及びスライダー６５から構成されてなる開閉式の取り出し口６０を形成し、小物入れ部５０の表側部５５を形成してなる衝撃緩和部４０とから形成される容器である。
【００４１】
小物入れ部５０と収納部１０の二つの収納体の上端縁１１を連接したことにより、二つの収納体からなる携帯型情報端末用のポーチ１に、より多くの収納物を収納することができる。
【００４２】
また、連接部５１を軸として擺動可能に設けられていることにより、小物入れ部５０に対して収納部１０が擺動できるので、透明合成樹脂シート３０を通して、携帯型情報端末ＳＨのタッチパネルの視認、及び操作が容易にできる。さらに、収納部１０の表側部１５を形成する透明合成樹脂シート３０を通して、携帯型情報端末ＳＨを収納部１０に収納したまま、カメラによる撮影機能が使用できることになる。
【００４３】
また、二つの収納体は、収納部１０よりも小物入れ部５０の方が大きく構成されてなり、また、二つの収納体は、それぞれの下部中央部５３で互いにホックＨにより自在に開閉できる開閉式にされてなる。
【００４４】
収納部１０よりも小物入れ部５０の方を大きくすることにより、収納部１０には携帯型情報端末ＳＨとその関連グッズを収納し、一方の小物入れ部５０にはそれ以外の日常生活品である化粧品、財布、手帳、筆記用具、ハンカチ、ティッシュペーパー等の嵩張るものを収納することができる。
【００４５】
また、二つの収納体は、それぞれの下部中央部５３で互いにホックＨによって自在に開閉できる開閉式とされてなることにより、ホックＨを閉めることで収納部１０が擺動できない状態となるので、小物入れ部５０に対する収納部１０の擺動が固定され、携帯型情報端末用のポーチ１の持ち運びに際して、携行中のポーチ１を安定させることができる。一方、ホックＨはいつでも開くことできるので、小物入れ部５０に対する収納部１０の擺動が解除され、携帯型情報端末ＳＨのカメラによる撮影機能が容易に使用できることになる。
【００４６】
また、小物入れ部５０の左右端部５７，５７の上側には、それぞれフックＦ，Ｆを設けることにより、フックＦに、肩掛け用のストラップＳの留め金具のカニカンＫを連結することで、肩掛け用のストラップＳでポーチ１を肩掛けして携行することができる。
【符号の説明】
【００４７】
１    ポーチ
１０    収納部
１１    上端縁
１３    裏側部
１５    表側部
１７    内側裏面
２０    取り出し口
２１    開口部
２３    ファスナー
２５    スライダー
２７    左右端部
３０    透明合成樹脂シート
３１ａ  一側縁
３１ｂ  他側縁
３３    切欠き部
３５    縁中央部
３７    ガイド面
３９    ケーブル挿し込み穴
４０    衝撃緩和部
５０    小物入れ部
５１    連接部
５３    下部中央部
５５    表側部
５７    左右端部
６０    取り出し口
６１    開口部
６３    ファスナー
６５    スライダー
Ｃ    ケーブル
ＥＭ    イヤホンマイク
Ｆ    フック
Ｈ    ホック
Ｋ    カニカン
Ｐ    プラグ
Ｓ    ストラップ
ＳＨ    携帯型情報端末
【図１】
0003204327.tif 000003
【図２】
0003204327.tif 000004
【図３】
0003204327.tif 000005
【図４】
0003204327.tif 000006
【図５】
0003204327.tif 000007
【図６】
0003204327.tif 000008
【図７】
0003204327.tif 000009
【図８】
0003204327.tif 000010